(57)【要約】      （修正有）【課題】シート全体でゴミ残飯等見えない様に覆い、カラス、猫等の視覚を遮断し侵入を防ぎ絵入り、模様入りカラーシートで美観を奏するカラーシートを提供する。【解決手段】当該シートの裾当初より四方周縁部２０ｃｍ前後の間隔毎に両面ハトメ１２ｃｍを設置し、そのハトメ孔にボルトを入れてナットで止めて重りとしてカラス、猫等の侵入を防ぎまたシートがめくれないように防風対策を施した。更にシート内の悪臭を緩和するためシートの裾上方５０ｃｍ前後の位置を起点として四方周辺２０ｃｍ前後に両面ハトメ１２ｍｍを設置しそのハトメを通気孔として悪臭を緩和した。その上、シートと両面ハトメとボルトとナットによる製作作業も簡単で経済的にも安価でできる。【選択図】図１
0003174298.tif 000002
【実用新案登録請求の範囲】
【請求項１】
絵入り、模様入り、四角形状のカラーシートであって当該シートの裾当初より四方周縁部２０ｃｍ前後の間隔毎に両面ハトメ１２ｍｍを設置しそのハトメの孔にボルトを入れてナットで止めて重りとした絵入り模様入りカラーシート。
【請求項２】
絵入り、模様入り、四角形状のカラーシートであって当該シートの裾より上方５０ｃｍ前後の位置を起点として四方周辺へ２０ｃｍ前後の間隔毎に両面ハトメ１２ｍｍを設置しそのハトメ孔を通気孔とした絵入り模様入りカラーシート。
【考案の詳細な説明】
【技術分野】
【０００１】  本考案は、絵入り模様入りネジ止制の四角形状のカラーシートであって裾当初より四方周縁部に２０ｃｍ前後の間隔毎に両面ハトメ１２ｍｍを設置し、そのハトメの孔にボトルを入れてナットで止めて重としたカラーシートである。【０００２】  本考案は、当該シートの裾より上方５０ｃｍ前後の位置を起点として四方周辺へ２０ｃｍ前後の間隔毎に両面ハトメを設置しそのハトメの孔を通気孔としたもの。
【背景技術】
【０００３】  ゴミ集積所には、防護ネットが置かれているがカラス、猫等の侵入を防げず周辺の環境悪化が著しい。【０００４】  またシートの周縁に沿って設けられた定置鎖シートではシート内の悪臭を防ぐ事ができずその上、製作作業が煩雑で多大な労力がかかり経済的負担も大きく実用化は難しい。
【先行技術文献】
【実用新案】
【０００５】
【実用新案文献】
実開平６−８６４８７公報
【考案の概要】
【考案が解決しようとする課題】
【０００６】  従来のゴミ集積所にある防護ネットでは、カラス、猫等の侵入を防げずそのためゴミ等が散乱し悪臭も漂い環境が悪化されている。その上、後始末にも労力がかかり日常的な負担となっている。【０００７】  また一方、定置鎖シートではシート内に悪臭が溜まり衛生上良くない。その上、製作するにあたり作業が煩雑で多大な労力がかかり経済的負担も大きい。
【課題を解決しようとする手段】
【０００８】  本考案は、当該シートの裾当初より四方周縁部に２０ｃｍ前後の間隔毎に両面ハトメ１２ｍｍを設置しそのハトメの孔にボトルを入れナットで止めて重しとしカラス、猫等の侵入を防ぎまた風でシートがめくれない様防風対策を施した。
【０００９】  またシート内の悪臭を緩和するためシートの裾より上方５０ｃｍ前後の位置を起点として四方周辺へ２０ｃｍ前後の間隔毎に両面ハトメ１２ｍｍを設置しそのハトメ孔を通気孔とした。
【００１０】  シート全体でゴミ残飯等見えない様に覆いカラス、猫等の視覚を遮断し侵入を防ぎ絵入り、模様入りカラーシートで美観を提供する。
【００１１】  その上、シートと両面ハトメ１２ｍｍとボルトナットによる製作のため作業が簡単で労力が軽くて済み経済的負担も少なく安価でできる。
【考案の効果】
【００１２】  上述の様に、当該シート全体で残飯等見えないように覆い、カラス、猫等の視覚を遮断し、生ゴミ等あらされる事はない。また定置ネジの重りでカラス、猫等の侵入を防ぎ防風対策も施されシートがめくれる事はない。
【００１３】  その上、両面ハトメ１２ｍｍのハトメ孔を通気孔としてシート内の悪臭も緩和している。
【００１４】  また両面ハトメ１２ｍｍとボルト、ナットとシートのセットが簡単で経済的負担が軽く安価でできる。
【図面の簡単な説明】
【００１５】
【図１】当該シート表平面図。  平面全体が絵入り、模様入り、四角形状のカラーシートであって、裾当初より四方周縁部２０ｃｍ前後の間隔毎に両面ハトメ１２ｍｍを設置し、そのハトメ孔にボルトを入れナットで止めて重りとした。  また、シートの裾上方５０ｃｍ前後の位置を起点として四方周辺２０ｃｍ前後の間隔で両面ハトメ１２ｍｍを設置しそのハトメ孔を通気孔とした。
【図２】当該シート斜影図。  当該シート使用時は絶えずゴミ集積所周辺の環境を保持し美観を提供する。
【図３】当該シートＡＡ´に沿う断面図。  シートに両面ハトメ１２ｍｍを設置しそのハトメ孔を通気孔とした。
【図４】当該シートＢＢ´に沿う断面図。  シートに両面ハトメ１２ｍｍを設置しそのハトメ孔にボルトを入れてナットで止めて重りとした。
【考案を実施するための形体】
【００１６】    本考案は当該シートの裾当初より四方周縁部に２０ｃｍ前後の間隔毎に両面ハトメ１２ｍｍを設置しそのハトメ孔にボルトを入れてナットで止めて重しとした。
【００１７】  また裾より上方５０ｃｍ前後の位置を起点として四方周辺の２０ｃｍ前後の間隔毎に両面ハトメ１２ｍｍを設置しそのハトメ孔を通気孔とした。
【実施例】
【００１８】  以下、添付図面に従って一実施例を説明する。１は絵入り模様入り、四角形状のカラーシートであって、裾当初より四方周縁部２０ｃｍ前後の間隔毎に両面ハトメ１２ｍｍを設置しそのハトメ孔にボルトを入れてナットで止めて重りとし、またシートの裾上方５０ｃｍ前後の位置を起点として四方周辺２０ｃｍ前後の間隔で両面ハトメ１２ｍｍを設置しそのハトメ孔を通気孔とし悪臭を緩和した。２は当該シート使用中は絶えずゴミ集積所周辺の環境保持と美観を提供する。３は上述の様に当該シートに両面ハトメ１２ｍｍを設置しそのハトメ孔を通気孔として悪臭を緩和した。４は上述の様に当該シートにハトメ１２ｍｍを設置しそのハトメ孔にボルトを入れてナットで止めて重りとしてカラス、猫等の侵入を防ぎシートがめくれない様防風対策を施した。
【符号の説明】
【００１９】１  絵入り、模様入り、四方形状カラーシート２  通気孔（両面ハトメ１２ｍｍの孔、その孔は１２ｍｍ前後の大きさであってもよい）３  重り（両面ハトメ１２ｍｍのハトメの孔にボルトを入れてナットで止めた重り）４  両面ハトメ１２ｍｍ（両面ハトメ１２ｍｍの大きさは、そのハトメ１２ｍｍより前後の大きさであってもよい））５  ボルト１２ｍｍ（ボルトは１２ｍｍ前後であってもよい）６  ナット１２ｍｍ（ナットは１２ｍｍ前後であってもよい）３´重りの全体形状（シートと両面ハトメ１２ｍｍとそのハトメ孔にボルトとナットをセットした重り）
【図１】
0003174298.tif 000003
【図２】
0003174298.tif 000004
【図３】
0003174298.tif 000005
【図４】
0003174298.tif 000006
【手続補正書】
【提出日】平成23年12月16日(2011.12.16)
【手続補正１】
【補正対象書類名】実用新案登録請求の範囲
【補正対象項目名】全文
【補正方法】変更
【補正の内容】
【実用新案登録請求の範囲】
【請求項１】
絵入り、模様入り、四角形状のカラーシートであって当該シートの裾当初より四方周縁部２０ｃｍ前後の間隔毎に両面ハトメ１２ｍｍを設置しそのハトメの孔にボルトを入れてナットで止めて重りとした絵入り模様入りカラーシート。
【請求項２】
絵入り、模様入り、四角形状のカラーシートであって当該シートの裾より上方５０ｃｍ前後の位置を起点として四方周辺へ２０ｃｍ前後の間隔毎に両面ハトメ１２ｍｍを設置しそのハトメ孔を通気孔とした請求項１記載の絵入り模様入りカラーシート。